(57)【要約】【課題】包装紙における強化構造目的を達成しながら、同時に緩衝性を向上せしめ、更には無公害焼却処理と完全リサイクル目的を達成する強化包装紙を提供する。【解決手段】クラフト紙から成る第１紙製シート１とクラフト紙から成る第２紙製シート２とを貼り合わせ、該第１紙製シート１と第２紙製シート２の貼り合わせ界面にクラフト紙から成る縦方向紙製テープ３を間隔を置いて並列に介在すると共に、クラフト紙から成る横方向紙製テープ４を上記縦方向紙製テープ３と交差組みしつつ間隔を置いて並列に介在したクラフト紙から成る強化包装紙。【選択図】      図３
2004210406.tif 000002
【特許請求の範囲】
【請求項１】
クラフト紙から成る第１紙製シートとクラフト紙から成る第２紙製シートとを貼り合わせ、該第１，第２紙製シートの貼り合わせ界面にクラフト紙から成る縦方向紙製テープを間隔を置いて並列に介在すると共に、クラフト紙から成る横方向紙製テープを上記縦方向紙製テープと交差組みしつつ間隔を置いて並列に介在したことを特徴とする強化包装紙。
【請求項２】
クラフト紙から成る第１紙製シートとグラシン紙から成る第２紙製シートとを貼り合わせ、該第１，第２紙製シートの貼り合わせ界面にクラフト紙から成る縦方向紙製テープを間隔を置いて並列に介在すると共に、クラフト紙から成る横方向紙製テープを上記縦方向紙製テープと交差組みしつつ間隔を置いて並列に介在したことを特徴とする強化包装紙。
【請求項３】
上記並列端の縦方向紙製テープ又は／及び横方向紙製テープの耳部端辺を上記第１紙製シートと第２紙製シートの各耳部端辺に一致させたことを特徴とする請求項１又は２記載の記載の強化包装紙。
【発明の詳細な説明】
【技術分野】
【０００１】
本発明は貼り合わせシートから成る包装紙、殊に包装品に対し緩衝効果を向上し且つ引き裂き強度を富有させた貼り合わせ包装紙における強化構造に関する。
【背景技術】
【０００２】
従来より各種工業製品の包装紙として、強靱で耐湿性に富み、安価であるところからクラフト紙を用いた強化包装紙が多用されている。
【０００３】
この強化包装紙は、二枚のクラフト紙を貼り合わせ、この貼り合わせ界面にＰＰ、ＰＥから成る合成樹脂製メッシュを介在させた貼り合わせ構造、或いは同貼り合わせ界面にＰＰ、ＰＥから成る合成樹脂製フイルムを介在させた貼り合わせ構造を採っている。
【０００４】
然しながらこれら強化包装紙は、合成樹脂製メッシュや合成樹脂フイルムをサンドイッチした貼り合わせ構造であるためリサイクル性に欠ける問題と、焼却処理時に有害ガスを発生する問題を内在しており、その改善が課題となっている。
【０００５】
これに対し出願人は特開２００１−１７２８９９号に示すように、第１紙製シートと第２紙製シートとを貼り合わせ、該第１，第２紙製シートの貼り合わせ界面に紙製テープを間隔を置いて一方向に並列に介在して第１，第２紙製シートと貼り合わせたクラフト紙から成る強化包装紙を提供している。
【０００６】
この強化包装紙は上記メッシュやフイルムを使用せずに強化目的を達成しつつ、上記従来例における問題点を解決できる利点を有しているが、包装対象物や包装条件によっては更なる強度付加と緩衝性の向上が求められている。
【発明の開示】
【発明が解決しようとする課題】
【０００７】
本発明は上記合成樹脂製メッシュや合成樹脂製フイルムを介在させた従来例における問題点を適切に解決しつつ、特開２００１−１７２８９９号にて提案された強化包装紙の引き裂き強度に対する強化目的を向上しつつ、同時に緩衝性を向上せしめた強化包装紙を提供するものである。
【課題を解決するための手段】
【０００８】
この強化包装紙は第１紙製シートと第２紙製シートを貼り合わせ、第１，第２紙製シートの貼り合わせ界面に縦方向紙製テープと横方向紙製テープとを交差組みして介在した貼り合わせ構造を有する。
【０００９】
即ち第１紙製シートと第２紙製シートとを貼り合わせ、該第１，第２紙製シートの貼り合わせ界面に縦方向紙製テープを間隔を置いて並列に介在すると共に、横方向紙製テープを上記縦方向紙製テープと交差組みしつつ間隔を置いて並列に介在した貼り合わせ構造を有する。
【００１０】
この強化包装紙は無公害焼却処理と完全リサイクル（古紙再生）を可能としつつ、併せて第１，第２紙製シートを格子状に細分する縦方向と横方向の紙製テープの介在と、交差組み部の形成によって包装紙の強化目的を有効に達成し、且つ包装品に対する緩衝効果を向上する。
【００１１】
好ましくは上記並列端の上記縦方向紙製テープ又は／及び横方向紙製テープの耳部端辺を上記第１紙製シートと第２紙製シートの各耳部端辺に一致させて同各テープを介在し、強化包装紙の耳部からの引き裂けを有効に防止する。
【００１２】
適例として上記第１紙製シート又は／及び第２紙製シートはクラフト紙を用いる。即ち一方をクラフト紙にし、他方を透視可能なグラシン紙にするか、両シートをクラフト紙にする。
【００１３】
同様に上記縦方向紙製テープと横方向紙製テープとしてクラフト紙を適用する。従って第１，第２紙製シートと縦横の紙製テープの夫々をクラフト紙とした、全クラフト紙製の強化包装紙を含む。
【００１４】
上記第１，第２紙製シートと縦横の紙製テープはクレープを施さない平紙を用いる。又は上記第１紙製シートと、第２紙製シートと、上記縦方向紙製テープと、横方向紙製テープは夫々クラフト紙にクレープ（縮み皺）を施したクレープ紙を用い、包装品に対する緩衝効果を富有せしめる。
【発明の効果】
【００１５】
上記強化包装紙は、同包装紙における強化構造目的を達成しながら、同時に緩衝性を向上せしめ、更には無公害焼却処理と完全リサイクル目的を達成できる。総じてクラフト紙の包装紙としての利点を活かした強化包装紙を提供できる。
【発明を実施するための最良の形態】
【００１６】
図１乃至図６に示すように、第１紙製シート１と、第２紙製シート２とを用意し、第１，第２紙製シート１，２間に縦方向紙製テープ３と横方向紙製テープ４を交差組みして介在し三者を接着材を介して貼り合わせ構造にする。紙製とはパルプ又は古紙パルプから抄造した紙を意味する。
【００１７】
上記によって、第１，第２紙製シート１，２の貼り合わせ界面に縦方向紙製テープ３を夫々縦方向に間隔を置いて並列に介在すると共に、横方向紙製テープ４を横方向に間隔を置いて並列に介在して交差組み部５を形成する。
【００１８】
縦方向紙製テープ３の並列間隔は等間隔であり、横方向紙製テープ４の並列間隔も等間隔であり、全体として正格子組みされ、第１，第２紙製シート１，２を正格子に細分する。この格子組み構造により強化目的を達成し、且つ包装品に対する緩衝効果を向上する。
【００１９】
図１Ａ，図２Ａ，図３Ｂに示すように、上記並列した縦方向と横方向の紙製テープ３，４は全て並列した一方の紙製テープ表面に他方の紙製テープの表面が重なるように平組み状態で交差組みして上記第１，第２紙製シート１，２の貼り合わせ界面に介在する。
【００２０】
他例として図１Ｂ，図２Ｂ，図４に示すように、上記縦方向紙製テープ３と横方向紙製テープ４は、隣接する一方の縦方向紙製テープ３（横方向紙製テープ４）の上面に横方向紙製テープ４（縦方向紙製テープ３）を重ね、他方の縦方向紙製テープ３（横方向紙製テープ４）の下面に同横方向紙製テープ４（同縦方向紙製テープ３）を重ね、これを交互に繰り返すことによって両テープ３，４を編み組みし、上記第１，第２紙製シート１，２の貼り合わせ界面に介在する。
【００２１】
上記第１，第２紙製シート１，２は格子組み窓において互いに接着し、縦方向紙製テープ３と横方向紙製テープ４は第１，第２紙製シート１，２と接着しつつ、交差組み部５において互いに接着する。
【００２２】
好ましくは図２Ａ，Ｂ並びに図３乃至図５に示すように、上記並列端の縦方向紙製テープ３又は／及び横方向紙製テープ４の耳部端辺８又は／及び９を上記第１紙製シート１と第２紙製シート２の各耳部端辺６又は／及び７に一致させて同各テープを介在し、強化包装紙の耳部からの引き裂けを有効に防止する。
【００２３】
図３Ａに示すように、上記強化包装紙は巻芯に多重巻きしてロール紙１０として販売しユーザーに供され、ユーザーはロール紙１０を巻き戻しつつ横方向に切断し、任意の長さの包装紙として使用する。
【００２４】
このロール紙１０の場合、図３Ｂ，図４に示すように、長尺包装紙の長手方向の耳部端辺６と縦方向紙製テープ３の耳部端辺８とを一致させる。即ち左右並列端の縦方向紙製テープ３を長尺包装紙の長手方向の耳部端辺６に沿って延在させつつ、両耳部端辺６，８を一致させロール紙１０の側面（耳部端辺６）に外的衝撃が加わった場合の引き裂けと、使用時における引き裂けを有効に防止する。
【００２５】
又は上記強化包装紙は図５に示すように、一定の縦横寸法を有する矩形の枚葉紙として販売されユーザーに供される。この場合左右並列端の縦方向紙製テープ３の耳部端辺８は包装紙（第１，第２紙製シート）の縦方向の左右耳部端辺６と一致させると共に、上下並列端の横方向紙製テープ４の耳部端辺９は包装紙（第１，第２紙製シート）の横方向の上下耳部端辺７と一致させ、強化包装紙の四辺の耳部からの引き裂けを有効に防止する。実施に応じ縦方向の耳部端辺６，８又は横方向の耳部端辺７，９の一方を一致させる場合を含む。
【００２６】
適例として上記第１紙製シート１又は／及び第２紙製シート２はクラフト紙を用いる。即ち一方をクラフト紙にし、他方を透視可能なグラシン紙にする。又は両シート１，２をクラフト紙にする。
【００２７】
同様に上記縦方向紙製テープ３と横方向紙製テープ４としてクラフト紙を適用する。従って第１，第２紙製シート１，２と縦横の紙製テープ３，４の夫々をクラフト紙とした、全クラフト紙製の強化包装紙を含む。
【００２８】
上記第１，第２紙製シート１，２と縦方向と横方向の紙製テープ３，４とはクレープを施さない平紙を用いる。
【００２９】
又適例として図６に示すように、上記第１紙製シート１と、第２紙製シート２と、上記縦方向紙製テープ３と、横方向紙製テープ４は夫々クラフト紙にクレープ（縮み皺）を施して成るクレープ付き紙製シート及びクレープ付き紙製テープを用い、包装品に対する緩衝効果を富有せしめる。このクレープ紙の皺形状は、既知の方法により上記第１紙製シート１と、第２紙製シート２と、上記縦方向紙製テープ３と、横方向紙製テープ４の抄造時又は抄造後に付与して貼り合わせ構造にする。
【００３０】
抄造後にクレープを施す好ましい例示として、第１，第２紙製シート１，２と縦方向と横方向テープ３，４を前記の如く貼り合わせ構造にした後、この貼り合わせ状態において一時に上記クレープを施す。
【００３１】
図６はこの抄造後であって且つ貼り合わせ構造にした後にクレープを施した場合の包装紙を示し、第１紙製シート１と、第２紙製シート２と、上記縦方向紙製テープ３と、横方向紙製テープ４に施されたクレープは全て同方向、即ち横方向に延びるクレープである。この貼り合わせ後クレープを包装紙は各シートとテープ１，２，３，４の相互の接着が損なわれず健全に維持する。
【図面の簡単な説明】
【００３２】
【図１】Ａは第１，第２紙製シート間に縦方向紙製テープと横方向紙製テープを編み組みせずに平組みにて交差組みし介在する強化包装紙を貼り合わせ前の状態を以って示す拡大断面図、Ｂは第１，第２紙製シート間に縦方向紙製テープと横方向紙製テープを編み組みして交差組みし介在する強化包装紙を貼り合わせ前の状態を以って示す拡大断面図。
【図２】Ａ，Ｂは同貼り合わせ後の強化包装紙の構造を示す拡大断面図。
【図３】Ａはロール紙にした強化包装紙を示す斜視図、Ｂは縦横紙製テープを平組み状態で交差組みし介在した強化包装紙を一部切欠して示す拡大平面図。
【図４】縦横紙製テープを編み組み状態で交差組みし介在した強化包装紙を一部切欠して示す拡大平面図。
【図５】枚葉紙にした強化包装紙を一部切欠して示す拡大平面図。
【図６】上記ロール紙並びに枚葉紙から成る強化包装紙にクレープを施した状態を一部切欠して示す拡大平面図。
【符号の説明】
【００３３】
１      第１紙製シート
２      第２紙製シート
３      縦方向紙製テープ
４      横方向紙製テープ
５      交差組み部
６      第１，第２紙製シートの左右耳部端辺
７      第１，第２紙製シートの上下耳部端辺
８      並列端の縦方向紙製テープの耳部端辺
９      並列端の横方向紙製テープの耳部端辺
１０      ロール紙
【図１】
2004210406.tif 000003
【図２】
2004210406.tif 000004
【図３】
2004210406.tif 000005
【図４】
2004210406.tif 000006
【図５】
2004210406.tif 000007
【図６】
2004210406.tif 000008